(57)【要約】【課題】  電気掃除機にて床面を掃除しながら、モップによる清掃をするときに、モップに付着した埃、塵が飛散しないようにその場で容易にモップの清掃部の埃、塵を吸引できることを課題とする。【解決手段】  電気掃除機のホースの接続部にホースに着脱可能なホース連結部７を有するモップの埃の吸引具３の筒状の清掃部６に設けられた開口部１３へモップの柄４を挿入し、モップの清掃部５を筒状の清掃部６内に引き込み、モップの清掃部５を矢印A１１の方向に反復させながら、矢印B12の方向に反転させ、モップに付着した埃や塵を電気掃除機本体１の吸引力で容易に吸引し、除去する。【選択図】  図１０
2011229629.tif 000002
【特許請求の範囲】
【請求項１】
本発明は、電気掃除機の本体に接続され床掃除の吸引部を先端に装着されたホースの途中に容易に取り付けることができる連結部を有し、モップの埃、塵の清
掃のための吸気口を有することを特徴とするモップの埃の吸引具
【請求項２】
本発明は、モップの清掃部を挿入し、モップ清掃部を挿入方向に往復移動可能な筒状のモップ清掃部を有することを特徴とする請求項１記載のモップの埃の吸引
具。
【請求項３】
本発明は、モップの埃の吸引具が有する筒状の清掃部の側面に、モップの柄を挿入するための開口部を有することを特徴とする請求項１記載のモップの埃の吸引
具。
【発明の詳細な説明】
【技術分野】
【０００１】
この発明は、平坦面や複雑な凹凸面の清掃や柔らかい素材の面の清掃用としてのモップに付着した埃を取り除くことが可能で、電気掃除機のホース部に着脱可能
な吸引具に関するものである。
【背景技術】
【０００２】
複雑な凹凸面のある個所や、狭くて電気掃除機の吸引部が入らない個所、埃が被清掃面に吸着している個所の清掃用具とし樹脂の極細繊維を用いたモップが使
用されている。
【０００３】
モップによる清掃によって、モップの極細繊維に著しく埃が付着し、その状態で清掃を継続すると付着した埃がモップより飛散し、且つモップによる清掃の際にモップ
の極細繊維に埃だけでなく、砂や金属片などの硬いものも付着させるため、清掃面を傷つけてしまう懸念がある。モップからの埃の飛散や清掃面への傷つきを防止
するためにモップに埃、砂、金属片などが付着した都度、それらを電気掃除機等の吸引機能を有する機器にて吸引する必要がある。
【０００４】
モップの埃の吸引の方法としては、モップの清掃部を、電気掃除機本体に収納でき、収納した状態で電気掃除機の吸引力で清掃部に付着した塵埃を集塵袋内に
集塵することができ、かつ床の掃除もできる電気掃除機が考案されている。
この電気掃除機は、通常の床掃除から床以外のテーブル・棚・Ａ Ｖ ボード・Ｔ Ｖ 等広範囲の掃除が同時に可能となる。また、清掃部材を掃除機本体に収納した状態
で電動送風機の吸引力で清掃部材に付着した塵埃を集塵袋内に集塵するため、常に清掃部材をクリーニングすることができ、清潔な状態を保つことができる。
【先行技術文献】
【特許文献】
【０００５】
【特許文献１】特開平９−１７３２６４特開２０００−３１２６６１特開２００３−１５３８３０ＪＰ２００６−３４０８２６
【発明の概要】
【発明が解決しようとする課題】
【０００６】
電気掃除機が使用できない複雑な凹凸面のある個所や、狭くて掃除機の吸引部が入らない個所、埃が被清掃面に吸着している個所を清掃できるモップで、清掃に
より一旦モップに付着した埃、塵が飛散することなく、またモップの清掃部に付着した砂、金属片などで被清掃体を傷つけないためにモップの清掃部の極細繊維に付
着した埃、塵の吸引具において、次のような問題点があった。
【０００７】
モップを挿入し、埃を吸引する吸引部が電気掃除機の本体に設けられているため、電気掃除機本体が大型化し、電気掃除機に求められる小型軽量化が損なわれ
しまう問題があった。
【０００８】
また、モップの清掃部の極細繊維は、柔らかく、電気掃除機本体に具備されたモップの埃、塵の吸引部の挿入部より膨らんでいるため、挿入する際に、挿入が困
難で、一度拭き取った埃、塵を飛散させてしまう原因となっていた。
【０００９】
よってモップの清掃部に付着した埃、塵を飛散させることなく吸引でき、電気掃除機本体が大型化させることなく電気掃除機に装着することができるモップの埃の吸
引具が求められていた。
【課題を解決するための手段】
【００１０】
本発明は、電気掃除機の本体の小型、軽量化に影響することなく、電気掃除機本体に接続された床掃除の吸引ホースの途中に容易に連結し取り付けることがで
きる連結部を有し、モップ清掃専用の吸気口を確保できることを特徴とするモップの埃の吸引具を提供する。
【００１１】
本発明は、前記モップ清掃専用の吸気口にモップの埃が付着した個所を往復させ埃を吸引させる際に、モップに付着した埃の飛散を防ぐため筒状の清掃部を有す
ることを特徴とするモップの埃の吸引具を提供する。
【００１２】
柔らかく膨らんだモップの清掃部を筒状の清掃部へ挿入する際にモップの柄のほうから先に挿入させ、モップの柄と共にモップの清掃部を筒状の清掃部に引き込
むことにより、モップの清掃部に付着した埃、塵の飛散を防止する。本発明は、モップの柄を持ったまま手放さずに筒状の清掃部の壁の側面からモップの柄を挿入
するための開口部が設けられたていることを特徴とするモップの埃の吸引具を提供する。
【発明の効果】
【００１３】
本発明のモップの埃の吸引具３は、電気掃除機本体１のホース２の中間の連結し接続することができる。そのため、床面の掃除をしながら、床面を清掃するための
吸引具を取り外すことなく、モップによる清掃を行い、モップの清掃部に付着した埃、塵をその場で吸引することができる吸引口が確保されている。そのため、掃除の
作業性を飛躍的に向上させることができ、モップの清掃部に付着した埃、塵の飛散を防ぐと共に、モップの清掃部に付着した、砂、金属片による被清掃面への傷つき
を防止することができる。
【図面の簡単な説明】
【００１４】
【図１】図１は、モップの埃の吸引具３を電気掃除機本体１のホース２に装着した状態である。
【図２】図２は、モップの図である。
【図３】図３は、モップをモップの埃の吸引具３に挿入した図である。
【図４】図４は、モップの埃の吸引具３の上視図である。筒状の清掃部６とホース連結部７が並行になっている。
【図５】図５は、モップの埃の吸引具３の上視図である。ホース連結部７に対して、筒状の清掃部６が90°回転している。
【図６】図６は、図４のAA断面図である。
【図７】図７は、図５のCC断面図である。
【図８】図８は、図４のBB断面図である。
【図９】図９は、モップの埃の吸引具３の筒状の清掃部６にモップの柄４を開口部１３から挿入し、筒状の清掃部６をホース連結部７に対して90°回転させた図。
【図１０】図１０は、モップの埃の吸引具３に筒状の清掃部６にモップの柄４を開口部１３から挿入し、筒状の清掃部６をホース連結部７に対して90°回転させ、モップ清掃部５を筒状の清掃部６に引き入れモップの清掃部５の埃、塵を筒状の清掃部の吸引口８から吸引している図。
【符号の説明】
【００１５】
１、 電気掃除機本体
２、 ホース
３、 モップの埃の吸引具
４、 モップの柄
５、 モップの清掃部
６、 筒状の清掃部
７、 ホース連結部
８、 筒状の清掃部の吸引口
９、 ホース連結部の吸引口
１０、 吸引口が連通している状態
１１、 矢印Ａ
１２、 矢印Ｂ
１３、 開口部
【発明を実施するための形態】
【実施例１】
【００１６】
図１は、本発明の実施事例であって、モップの埃の吸引具３を電気掃除機１のホース２に取り付けた図である。  
【００１７】
図３は、本発明の実施事例であって、吸引作動状態にある電気掃除機本体１に取り付けられたモップの埃の吸引具３の筒状の清掃部６に、モップを挿入することに
より、電気掃除機により床面を掃除しながら、モップを携行することができ、随時モップを手に持って机上面、家具、調度品、装飾品、観葉植物の葉等の凹凸面の個
所を清掃することができるようになった。
【００１８】
図４は、モップの埃の吸引具３の上視図である。モップの埃の吸引具３の筒状の清掃部６がホース連結部７と並行の向きになっている状態では、筒状の清掃部の
吸引口８とホース連結部の吸引口９との角度が90°ずれた状態にあるため吸引できない状態になっている。
【００１９】
図５は、モップの埃の吸引具３の上視図である。モップの埃の吸引具３の筒状の清掃部６がホース連結部７に対して90°回転した向きになっている状態では、筒状
の清掃部の吸引口８とホース連結部の吸引口９とが連通した状態にあるため電気掃除機本体１の吸引力で吸引できる状態になっている。モップの埃の吸引具３の
筒状の清掃部６のホース連結部７に対する角度を0°〜90°に変化させることにより、筒状の清掃部の吸引口８とホース連結部の吸引口９との重なり量が変えるこ
とができ、吸引力の調整が可能になっている。
【００２０】
図９は、複雑な凹凸面のある個所を清掃し、埃、塵が付着したモップの柄を、モップの埃の吸引具３に設けられた開口部１３に挿入し、筒状の清掃部６をホース連
結部７に対して、90°回転させた図である。
【００２１】
図１０は、複雑な凹凸面のある個所を清掃し、埃、塵が付着したモップの柄４を、モップの埃の吸引具３に設けられた開口部１３に挿入し、筒状の清掃部６をホース
連結部７に対して、90°回転させ、筒状の清掃部の吸引口８とホース連結部の吸引口９とを連通させて、モップの清掃部５を筒状の清掃部６に引き入れた状態の図
である。この状態で、モップを矢印A１１の方向に反復させながら矢印B１２の方向に回転させることで、モップの清掃部の埃、塵を飛散させることなく吸引することが
できた。
【産業上の利用可能性】
【００２２】
本発明により、家庭内の掃除だけでなく、精密品の製造工場のクリーンルームなどの、より確実な埃の除去が可能となる。また、筒状の掃除部の吸引口に、徐電
機能を設け、一時的に静電気を除去することにより、より速くモップの清掃部に付着した埃を除去できる。また、筒状の清掃部３の内側に筒状の清掃部の吸引口８に
向かって、溝を設けることにより、吸引口がより広い範囲となり、モップの清掃部に付着した埃の除去の時間が短縮できると共に、モップの清掃部の繊維との摩擦に
よる静電気が発生し埃の吸着能力がたかまる。
【図１】
2011229629.tif 000003
【図２】
2011229629.tif 000004
【図３】
2011229629.tif 000005
【図４】
2011229629.tif 000006
【図５】
2011229629.tif 000007
【図６】
2011229629.tif 000008
【図７】
2011229629.tif 000009
【図８】
2011229629.tif 000010
【図９】
2011229629.tif 000011
【図１０】
2011229629.tif 000012